(57)【要約】【課題】収納効率および利便性の高い冷蔵庫を提供すること。【解決手段】前面に開口部を有し、物を貯蔵する貯蔵室５３と、前記貯蔵室５３の右側面から左側面に亘って架橋状に設置され、奥行き寸法が左右で異なり、奥行き方向中間部で前方棚板８０ｂと後方棚板８０ａとに分割可能な棚板８０とを備え、前記棚板８０は、前記棚板８０の左側の前端面と右側の前端面とを曲面により連続的に繋ぐ段差部９２を有する。【選択図】図３
2008051487.tif 000002
【特許請求の範囲】
【請求項１】
前面に開口部を有し、物を貯蔵する貯蔵室と、
前記貯蔵室の右側面から左側面に亘って架橋状に設置され、奥行き寸法が左右で異なり、奥行き方向中間部で前方棚板と後方棚板とに分割可能な棚板とを備え、
前記棚板は、前記前方棚板の左側の前端面と右側の前端面とを曲面により連続的に繋ぐ段差部を有する
冷蔵庫。
【請求項２】
さらに、
前記後方棚板の下方に架橋状に前記前方棚板を支持し、前記貯蔵室の右側面及び左側面にそれぞれ内方突出状に設けられる支持部を備える冷蔵庫。
【請求項３】
さらに、
前記棚板の分割していない形状と同形状であって、前記貯蔵室の右側面から左側面に亘って架橋状に設置される載置棚板を備える請求項１に記載の冷蔵庫。
【請求項４】
さらに、
前記貯蔵室の前記開口部を開閉可能に塞ぐ扉と、
前記扉を閉じた際に前記棚板の奥行き寸法に沿って対応する奥行き寸法であり、扉内壁に内方突出状に設けられる突出部とを備える
請求項１に記載の冷蔵庫。
【発明の詳細な説明】
【技術分野】
【０００１】
本発明は、貯蔵室内に棚板を備える冷蔵庫に関する。
【背景技術】
【０００２】
従来、冷蔵庫はドア収納棚と庫内収納棚に収納物を載置するよう構成されており、収納目的に応じて、その大きさの配分を変化させる技術が提案されている（例えば特許文献１参照）。
【０００３】
図１７および図１８は、特許文献１に記載された従来の冷蔵庫１を示す図である。図１７は冷蔵庫１を開扉した状態を示す斜視図であり、図１８は冷蔵庫１の横断面を示す図である。
【０００４】
断熱箱体で形成された冷蔵庫１は、その内部を貯蔵空間として最上部に最も大きい冷蔵室２を備え、その下方に野菜室３を備えている。
【０００５】
野菜室３の下方には自動製氷装置を配置した製氷室４と温度切替室５とを併設しており、最下部には冷凍室６が独立して配置されている。また、これら各貯蔵室の前面開口には各々専用の扉を開閉自在に設けている。
【０００６】
冷蔵室２内には、図１７に示すように複数の棚１４が配置され複数段に亘る収納空間が形成されている。
【０００７】
また、その前面開口には、それぞれ外側端の上下部をヒンジ１１で枢支された左扉１２および右扉１３が回動自在に設置されている。つまり冷蔵庫１は、いわゆる観音開き式の扉を備えている。
【０００８】
ここで、観音開き式の扉とは、図１７および図１８に示すように、左扉と右扉とを有し、左扉は左側に回動軸を持ち、右扉は右側に回動軸を持ち、左扉と右扉との境界から左右に開く扉である。
【０００９】
また、図１７および図１８に示す冷蔵庫１のように左扉と右扉の横幅が同一のものだけでなく、左扉と右扉の横幅が異なるものもある。
【００１０】
左扉１２および右扉１３には複数のドアポケット２０が配置され複数段に亘る収納空間が形成されている。また、各扉は複数の凸部１９ａを有し、ドアポケット２０は凸部１９ａに着脱自在に係合するよう構成されている。
【００１１】
また、図１８に示すように最下段に設けたドアポケット２１は、後段収納部２２と前段収納部２３とから構成されており、ドアポケット２１と向かい合う貯蔵室内側には棚１４が配置されている。
【００１２】
前段収納部２３は後段収納部２２から簡単に着脱でき、扉が９０度程度までしか開くことができない場合には前段収納部２３を取り外して、冷蔵室２の開口を広げて貯蔵物の出し入れをしやすくすることができる。
【００１３】
また、扉が９０度以上開く時には前段収納部２３を取り付けて収納量を増加させることができる。つまり、扉がどの程度開くかに応じて冷蔵庫１の使用者が前段収納部２３を使用するか否かを決定できる。
【特許文献１】特開２００５−２８２８９７号公報
【発明の開示】
【発明が解決しようとする課題】
【００１４】
このように、従来の冷蔵庫１では、冷蔵室２の前面に設けられた扉の内側にドアポケット２０等の複数のドアポケットを設け、収納量の増加および収納性の向上が図られている。
【００１５】
ここで、ドアポケットは、使用者にとって出し入れしやすい位置にあり、利便性の観点から主にペットボトルやビン類などが収納されている。また、近年、ペットボトル等の大型化もありドアポケットの大型化が求められている。そのため具体的にはドアポケットの奥行き方向の幅が長くなる傾向にある。
【００１６】
しかしながら、上記従来の構成においてドアポケットを大型化する場合、冷蔵庫１の左端または右端を中心に一方の扉を回転させて開ける際に冷蔵室２内の棚１４がドアポケットと干渉しないようにする必要がある。つまり、棚１４の奥行き方向の長さを短くする必要がある。
【００１７】
さらに、一方の扉のドアポケットと他方の扉のドアポケットとが干渉しないためにはそれぞれのドアポケットをそれぞれの扉の開閉時の回転軌跡以内に収める必要もある。
【００１８】
そのため、例えば、図１８に示すように、２つのドアポケット２１との間および棚１４と両ドアポケット２１との間の無効な空間である無効スペース２５が大きくなることとなる。
【００１９】
つまり、従来の冷蔵庫においては、ドアポケットの大型化に伴い、冷蔵庫内の無効スペースが増大するといった課題を有している。
【００２０】
さらに、図１８に示すような前段収納部と後段収納部とから構成されるドアポケットを有する冷蔵庫の場合、冷蔵庫の使用環境において壁などが左右に存在すると、上述のように、物の出し入れの都合上、前段収納部を取り外すことになる。
【００２１】
この場合、ドアポケットの収納量が減少し、結果として冷蔵庫内の収容量が減少してしまうという問題もある。
【００２２】
また、観音開き式の扉を備える冷蔵庫の場合、上述のようにそれぞれの扉のドアポケットは回転軌跡内に収まる形状および大きさにする必要がある。従ってドアポケットの奥行き寸法が長くなればなるほど三角形に近い形状となる。
【００２３】
これにより、ペットボトルや牛乳パック等の収納物がドアポケットに効率良く収納できないといった収納量の減少及び収納性の悪化という課題も有していた。
【００２４】
なお、このような、ドアポケットの大型化に伴う無効スペースの増大および収納性の悪化といった問題は、観音開き式の扉を備える冷蔵庫に限られず、冷蔵室の扉として１枚の扉のみを有するいわゆる片開き式の扉を備える冷蔵庫においても存在する。
【００２５】
そこで、本願発明者らは、鋭意研究と努力の結果、収納物を載置する庫内収納棚の奥行き寸法が左右で異なるようにすることで、収納効率が上昇することを見出だすに至った。
【００２６】
ところが、無効スペース２５が減少し収納効率が上昇するものの、収納棚が存在する状態では背の高い収納物を載置することができず、収納棚のいくつかをはずして高さを確保しようとする場合、収納棚に従来よりも奥行きの長い部分が存在するため、庫内から引き出しにくく、引き出した収納棚の保管場所に困るという課題を見出だした。
【００２７】
本発明は、上記従来の課題を解決するものであり、背の高い収納物を容易に収納できる冷蔵庫を提供することを目的とする。
【課題を解決するための手段】
【００２８】
上記従来の課題を解決するために、本発明の冷蔵庫は、前面に開口部を有し、物を貯蔵する貯蔵室と、前記貯蔵室の右側面から左側面に亘って架橋状に設置され、奥行き寸法が左右で異なり、奥行き方向中間部で前方棚板と後方棚板とに分割可能な棚板とを備え、前記棚板は、前記前方棚板の左側の前端面と右側の前端面とを曲面により連続的に繋ぐ段差部を有することを特徴とする。
【００２９】
これにより、棚板の前半分だけを取り外すことができるため、収納物の高さに対応した空間を創出することが可能となる。
【００３０】
また、前記前方棚板は、前記棚板の左側の前端面と右側の前端面とを曲面により連続的に繋ぐ段差部を有するため例えば、前方棚板に食品等を置いたときに発生する応力集中や歪みを緩和させることができる。つまり、比較的重い収納物を棚板に置いた場合であっても大きなたわみや割れに至ることなく、使用者は安心かつ安全に冷蔵庫を使用することが可能となる。
【００３１】
また、段差部を滑らかなウェーブ状の形状にし、さらに棚板の貯蔵室奥面に対向する辺をフラットな形状にすることで、冷気を噴き出すダクト等がシンプルに構成でき、見た目にも良くデザイン性にも優れたものになる。
【００３２】
さらに、前記後方棚板の下方に架橋状に前記前方棚板を支持し、前記貯蔵室の右側面及び左側面にそれぞれ内方突出状に設けられる支持部を備えてもよい。
【００３３】
これにより、上記と同様の効果が奏される。しかも、取り外した前方棚板を後方棚板の下方に取り付けることができるため、取り外した後の前方棚板の収納場所に困ることはない。さらに、前方棚板と後方棚板との距離によっては、新たな背の低い収納物の収納空間を創出することができるため、無駄なく空間を利用することが可能となる。
【００３４】
さらに、前記棚板の分割していない形状と同形状であって、前記貯蔵室の右側面から左側面に亘って架橋状に設置される載置棚板を備えることが望ましい。
【００３５】
棚板をはずして収納する必要のある収納物は、比較的重量が重いため、分割することのない載置棚板に前記収納物を載置することで、安定した収納を実現することができる。
【００３６】
さらに、前記貯蔵室の前記開口部を開閉可能に塞ぐ扉と、前記扉を閉じた際に前記棚板の奥行き寸法に沿って対応する奥行き寸法であり、扉内壁に内方突出状に設けられる突出部とを備えるとしてもよい。
【００３７】
つまり、本発明の冷蔵庫では、扉の内扉面の奥面までの距離が長い側、つまり無効スペースが生じ易い側に棚板の奥行き寸法が長い側が対向することとなる。
【００３８】
従って、例えばドアポケットとして実現される突出部を除く内扉面と、棚板との間にできる空間、すなわち無効スペースを極めて小さくし、貯蔵室内の収納スペースを増加させることができる。
【００３９】
さらに、貯蔵室内の収納領域をドアポケットの収納領域および上述の棚板上の２つの領域という大きく３つの領域に分けることができ、使用者は、収納物の大きさや目的に応じて収納先を選択することができる。つまり効率のよい区分収納が実現される。
【発明の効果】
【００４０】
本発明の冷蔵庫によれば、かなり背の高い収納物であっても、当該収納物の高さに応じた収納空間を創出することが可能となる。
【発明を実施するための最良の形態】
【００４１】
以下、本発明による冷蔵庫の実施の形態について、図面を参照しながら説明する。
【００４２】
（実施の形態１）
まず、図１〜図７を用いて本発明の実施の形態１の冷蔵庫の構成を説明する。
【００４３】
図１は、本発明の実施の形態１の冷蔵庫の正面図である。
図１に示すように実施の形態１の冷蔵庫５１は、観音開き式の扉を備える冷蔵庫であり、断熱箱体５２内に複数に区画された貯蔵室を備えている。
【００４４】
実施の形態１の冷蔵庫５１は、具体的には上部より冷蔵室５３、製氷室５４、製氷室５４に併設され庫内の温度が可変できる切換室５５、野菜室５６、および冷凍室５７を備えている。
【００４５】
各貯蔵室の前面開口部には、例えばウレタンのような発泡断熱材を発泡充填した断熱扉が設けられている。具体的には、冷蔵室５３には断熱箱体５２の前面開口を左右に区画する左扉６０ａ、右扉６０ｂが設けられている。
【００４６】
また、製氷室５４、切換室５５、野菜室５６、および冷凍室５７にはそれぞれ引き出し式の扉６１、扉６２、扉６３、および扉６４が設けられている。
【００４７】
収納性や使い勝手の観点から、左扉６０ａは右扉６０ｂより左右方向の長さ、つまり横幅が短く構成されており、製氷室５４と切換室５５とが分割された位置とほぼ同じ左右方向の位置で分割されている。
【００４８】
なお、貯蔵室の扉は、収納形態等によって、左扉と右扉の横幅が同一である観音開き式や、左扉および右扉の一方を引き出し式扉で構成することもある。
【００４９】
また、野菜室５６と冷凍室５７の後側には、図示しない冷却器およびファンが設けられており、冷蔵庫５１の本体下部に設置された圧縮機により冷却器が駆動され、冷却器から冷却された空気が各貯蔵室に送られる。また、それぞれの貯蔵室ごとに所定の温度に冷却制御される。
【００５０】
図２は、実施の形態１の冷蔵庫５１の扉を開けた状態の斜視図であり、図３は、冷蔵庫５１の縦断面図（図１に示すＡ−Ａ断面図）である。
【００５１】
図２および図３に示すように、冷蔵室５３には、食品などを整理して収納するための複数の棚板８０が配置されており、これら複数の棚板８０により冷蔵室５３内に複数段に亘る収納空間が形成されている。
【００５２】
また、冷蔵室５３の前面開口には、上述のように左扉６０ａおよび右扉６０ｂが設置されている。具体的には、左扉６０ａおよび右扉６０ｂはそれぞれ断熱箱体５２の左右の端部にヒンジ８１で枢支されている。
【００５３】
このような観音開き式の左扉６０ａと右扉６０ｂの内側縁部には、ガスケット８５が取り付けられており冷蔵室５３内の冷気の外部への流出が防止される。
【００５４】
また、左扉６０ａは冷蔵室５３側に上下方向に複数の左ドアポケット９０を有しており、右扉６０ｂは同様に複数の右ドアポケット９１を有している。
【００５５】
具体的には、各ドアポケットは、扉内板８９などに一体形成した図示しない保持部材などにより固定され、収納物を保持する際の保持強度を確保している。また、扉内板８９および各ドアポケットの貯蔵室側の面で庫内面が形成されている。
【００５６】
これら各扉における複数のドアポケットは冷蔵室５３内に複数段に亘る収納空間を形成している。また、これら複数のドアポケットのそれぞれは、主に飲料などのペットボトルや調味料などのビン類を収納する目的で、前後左右に壁を有し上方が開口した形状である。つまり、各ドアポケットは各扉における突出部であり、上方に開口する凹陥部を有している。
【００５７】
なお、突出部は凹陥部を必ずしも必要とするのものではなく、物品を載置できるものであればよい。
【００５８】
また、各ドアポケットが扉側の壁（後壁）を持たず、扉内板８９を後壁として利用する場合もある。
【００５９】
また、冷蔵室５３の壁面を構成する内箱７０の前方位置の左右両側を凹ませた空間に照明装置８７が設けられ、図示しないカバーなどでその空間が覆われている。この照明装置８７により、貯蔵室内が前方から照らされる。
【００６０】
なお、照明装置８７は、冷蔵室５３の奥側に位置する後述する冷気ダクト８４や、冷蔵室５３の天井に設けてもよく、また複数の照明装置８７を設置してもよい。
【００６１】
また、冷蔵室５３内の収納空間の最下段には、肉魚などの保鮮性向上のためのチルドケース８２やタマゴ等を収納する小物ケース８３が配置されている。
【００６２】
また、図３に示すように、断熱箱体５２は、ＡＢＳなどの樹脂体を真空成型した内箱７０とプリコート鋼板などの金属材料を用いた外箱７１とで構成された空間に発泡断熱材７２が注入された断熱壁で構成されている。
【００６３】
また、冷蔵室５３の後方、つまり棚板８０の後側には、上述の冷却器によって冷やされた冷気を貯蔵室内に送風するための冷気ダクト８４が設けられている。
【００６４】
一般的に冷気ダクト８４は断熱箱体５２内部の奥側のほぼ全体で構成するものであり、必要に応じて棚板８０のそれぞれの間に図示しない吐出孔が設けられ、それぞれの収納空間に冷気を行き渡らせるよう構成されている。また、冷気ダクトは、複数の棚板８０の位置決め手段や固定手段として用いることもできる。
【００６５】
棚板８０は、奥行き方向の中央部分で前後に２分割されており、奥行き方向前側にある棚板が前方棚板８０ｂ、後ろ側にある棚板が後方棚板８０ａである。
【００６６】
また、冷蔵室５３の右側面及び左側面には、対向突出状に棚板受け１８２が設けられている。前方棚板８０ｂの左右方向端部が前記棚板受け１８２に係合載置されることにより、冷蔵室５３の右側面から左側面に亘って架橋状に前方棚板８０ｂを取り付けることが可能となる。また、後方棚板８０ａも同様である。
【００６７】
さらに、後方棚板８０ａを載置する棚板受け１８２の下方には、棚板受け１８２からはずした前方棚板８０ｂを支持する支持部１８１が取り付けられている。この支持部１８１は冷蔵室５３の右側面及び左側面に対向突出状に設けられている。
【００６８】
冷蔵室５３の再下段であって、小物ケース８３の直上には載置棚板１８３が設けられている。この載置棚板１８３は、分割されていない一体構造であり、前方棚板８０ｂと後方棚板８０ａとを合わせた形状とほぼ同形状となっている。
【００６９】
図４は、実施の形態１の冷蔵庫５１の横断面図（図１に示すＢ−Ｂ断面図）である。
図４に示すように、冷蔵室５３の前面開口部に位置する両扉間においては、仕切体８６が配置され、両扉が閉まった時にその仕切体８６とガスケット８５とによって、両扉間の隙間がシールされる構造になっている。
【００７０】
仕切体８６は、左扉６０ａの右端に取り付けられており、右扉６０ｂが先に閉められた後からでも左扉６０ａを閉めることができるよう左扉６０ａの開閉とともに回動する構造になっている。
【００７１】
そのため、仕切体８６の後方側（冷蔵室側）には仕切体８６が回動する空間が若干ながら必要である。
【００７２】
なお、両扉の周縁部に取り付けられたガスケット同士の接触により両扉間の隙間がシールできる場合は、中央部に仕切体８６を設置しなくてもよい。
【００７３】
また、棚板８０は、左ドアポケット９０、右ドアポケット９１と冷気ダクト８４との間の貯蔵室空間内に配置されており、かつ、左ドアポケット９０および右ドアポケット９１と干渉しないようにある程度のこれらドアポケットとの間に隙間を設けられている。
【００７４】
ここで、本実施の形態においては、左右の扉の関係と同様に左ドアポケット９０は右ドアポケット９１よりも幅方向が短い。さらに左ドアポケット９０の上面開口の奥行き寸法Ｃと右ドアポケット９１の上面開口の奥行き寸法Ｄとの関係がＣ＜Ｄとなっている。
【００７５】
このように、冷蔵庫５１においては、右ドアポケット９１の方がより貯蔵室内側へ突出し収納スペースを大きくするよう構成されている。つまり、観音開き式の扉の内扉面から冷蔵室５３の奥面までの距離が左右で異なっており、左側の方が当該距離が長くなっている。
【００７６】
また、棚板８０は、このような大小関係にある左ドアポケット９０および右ドアポケット９１の形状に対応し、奥行き寸法が左右で異なる形状をしている。
【００７７】
棚板８０がこのような形状をすることにより、冷蔵庫５１全体の大きさを変えることなく、従来の冷蔵庫よりも収納スペースを増加させている。
【００７８】
以下に、本実施の形態における棚板８０並びに左ドアポケット９０および右ドアポケット９１がもたらす効果について説明する。
【００７９】
冷蔵室５３の前面開口部に構成される観音開き式の左扉６０ａ、右扉６０ｂはヒンジ８１を軸にして冷蔵庫５１の中央付近から外側に回転して開く。この動きに伴い、各扉が有する左ドアポケット９０および右ドアポケット９１もそれぞれの扉とともに回動する。
【００８０】
このとき一方の扉と他方の扉（それぞれ、取り付けられたドアポケットも含む）とを干渉させないように、各ドアポケットをそれぞれの扉の回転軌跡内（一点鎖線）に収まる形状にする必要がある。
【００８１】
本実施の形態においては、右ドアポケット９１は左側に傾斜部分を設け、右扉６０ｂの回転軌跡内に収まる範囲で奥行き寸法を左ドアポケット９０より長くする。また、左ドアポケット９０は上述のような傾斜部分を作ることなく左扉６０ａの回転軌跡内に収まるよう幅及び奥行き寸法を比較的短くする。
【００８２】
つまり、左ドアポケット９０の収容可能量は比較的小さなものとなるが、右ドアポケット９１を大きくすることで左右のドアポケットの合計収納可能量は一定の量が担保される。
【００８３】
ここで、右ドアポケット９１の奥行き寸法が長くなればなるほどその傾斜部分は急になり、右ドアポケット９１および左ドアポケット９０と棚板８０と間の空間、つまり仕切体８６の後方付近に無効スペースが大きくなるのが一般的である。
【００８４】
なお、ドアポケットが左側であるか右側であるかに関わらず、その奥行きが長くなればなるほどその傾斜部分は急になり、上述の無効スペースが増加することとなる。
【００８５】
そこで、本実施の形態では、棚板８０の奥行き寸法が短い側の前端面と、内扉面から奥面までの距離が短い側の内扉面とが対向し、棚板８０の奥行き寸法が長い側の前端面と、内扉面から奥面までの距離が長い側の内扉面とが対向するよう構成される。
【００８６】
具体的には、図４に示すように、棚板８０の奥行き寸法が短い右側の前端面と、奥行き寸法が長い右ドアポケット９１とが対向し、棚板８０の奥行き寸法が長い左側の前端面と、奥行き寸法が長い右ドアポケット９１とが対向している。
【００８７】
これにより、仕切体８６の後方付近にできる無効スペースを小さくし、貯蔵室内の収納スペースを増加させることが可能となる。
【００８８】
具体的には、図４に示すように、棚板８０は、棚板８０の左端辺の奥行き寸法をＥ、右端辺の奥行き寸法をＦとすると、Ｅ＞Ｆを満たしかつ、ＥとＣとの和がＦとＤとの和とおおよそ等しくなる形状である。
【００８９】
このように、棚板８０はその前端部の左右方向の形状が左ドアポケット９０と右ドアポケット９１とに相対した形状をしている。
【００９０】
従って、本実施の形態における棚板８０は、その前端辺に従来の冷蔵庫の棚板にはなかった前後方向の段差を有していることになる。この段差を段差部９２とする。
【００９１】
段差部９２は、棚板の左側の前端面と右側の前端面とを曲面により連続的に繋ぐ部位である。
【００９２】
また、奥行き寸法がＥである部分を含む棚板８０の左側の部分を大棚板部９３とし、奥行き寸法がＦの部分を含む棚板８０の右側の部分を通常棚板部９４とする。
【００９３】
大棚板部９３と通常棚板部９４とは、おおよそ段差部９２の左右方向の中心点から奥行き方向に延伸した直線の左側（大棚板部９３）と右側（通常棚板部９４）とで区別することができる。
【００９４】
なお、大棚板部９３と通常棚板部９４との区別の方法は上記方法に限られず、例えば、図４において奥行き寸法がＦである領域のみを通常棚板部９４とし、他の領域を大棚板部９３としてもよい。
【００９５】
本実施の形態において、大棚板部９３の前端面と通常棚板部９４の前端面とは段差部９２により連続的に繋げられている。
【００９６】
またこの曲線形状は、傾斜部分を含む右ドアポケット９１の形状に合わせた結果の形状である。このように右ドアポケット９１の形状に沿うような形で通常棚板部９４の各寸法を決定することは、無効スペースを小さくする上で特に効果的である。
【００９７】
そのため、本実施の形態の棚板８０の形状は、左ドアポケット９０、右ドアポケット９１および棚板８０を合わせた貯蔵室全体の収納可能な棚底面積が拡大し、収納スペースを効率良く増加させる形状であるといえる。
【００９８】
なお、段差部９２の形状は、奥行き寸法の長い右ドアポケット９１に干渉しないような形状であればよい。ここで、右ドアポケット９１の形状は、左扉６０ａに干渉しない形状であり、つまり、右扉６０ｂの回転軌跡内に収まる形状である。従って、段差部９２は右扉６０ｂの回転軌跡の外側であれば、右ドアポケット９１に干渉しないことになる。
【００９９】
さらに、棚板８０は、前方棚板８０ｂと後方棚板８０ａに分離可能である。従って、例えば棚板８０の再下段にある前方棚板８０ｂを取り外せば、背の高い収納物を載置棚板１８３上に載置して収納することが可能となる。しかも、載置棚板１８３も大棚板部９３と同形状の部分を有しているため、当該部分には背が高くて大きな収納物を載置し、他の部分には背が高くて細身の収納物を載置することなどができる。
【０１００】
また、取り外した前方棚板８０ｂは、後方棚板８０ａの下方に設けられる支持部１８１に載置することができるため、はずされた前方棚板８０ｂの収納に困ることはない。さらに支持部１８１に載置された前方棚板８０ｂとその直上に在る後方棚板８０ａとの間には在る程度の間隔が存在するため、当該部分にも新たな収納空間が創出されることとなる。
【０１０１】
さらにまた、取り外された前方棚板８０ｂは、後方棚板８０ａの下部に潜り込ませて支持することも可能である。これによれば、冷蔵室５３の後方にもある程度背の高い収納物を載置することが可能となる。
【０１０２】
また、左ドアポケット９０の小さくなった収納スペースを補うべく、右ドアポケット９１を通常の奥行き寸法よりも長いものとする。
【０１０３】
これにより、両ドアポケットを合わせた収納スペースはおおよそ変えることなく棚板８０の収納スペースのみを増加させたことになる。
【０１０４】
つまり、本実施の形態の冷蔵庫５１は、その全体の大きさを変えることなく、従来の冷蔵庫よりも収納スペースを増加させている。
【０１０５】
また、前述したような観音開き式の扉の回転軌跡による無効スペースは、ヒンジ８１の位置を前にするなどによって回転軌跡の位置を前方へ移動させて、その大きさを抑制することは可能である。
【０１０６】
しかし、近年、ペットボトルやビン類の消費量の増加や、使用者が扉を開けてすぐに物を出し入れできるという利便性からドアポケットの収納スペースを大きくすることに対するニーズが高まっている。
【０１０７】
これにより、近年の冷蔵庫ではドアポケットが貯蔵室内側へより突出する傾向が高まり、結果として貯蔵室内の無効スペースが増加する傾向にある。
【０１０８】
このような傾向に対し、本実施の形態の冷蔵庫５１は、全体の大きさを変えることなく、従来の冷蔵庫よりも収納スペースを増加させている。すなわち、庫内の無駄な空間の発生を抑制しつつ、使用者のニーズに応えることのできる冷蔵庫である。
【０１０９】
これら説明した内容は、図４に示す冷蔵室５３の単なる１つの横断面における効果である。しかし、観音開き式の扉の全高において左ドアポケット９０および右ドアポケット９１の回転軌跡形状はほぼ同じである。
【０１１０】
そのため、複数段に亘って収納空間を構成している複数の棚板８０及び複数の左ドアポケット９０および右ドアポケット９１をほぼ同様の形状にすることによって、貯蔵室内の全高に亘って収納スペースを増加することができ、大きな効果を得ることができる。
【０１１１】
また、上下方向の複数の棚板８０を、上段から下段までの各棚の前端辺を平行となる位置にする、つまり、各棚板８０の段差部９２が高さ方向に整列するように配置することで、使用者による見た目の統一感がとれるとともに、非常にデザイン性にも優れるものとなる。
【０１１２】
さらに、複数の棚板８０を同一部品にできる可能性があり、部品の兼用化による安価なコストでの構成や製造工程での作業負担軽減による製造コストの低減にも寄与する。左ドアポケット９０、右ドアポケット９１に関しても棚板８０と同様に上下に亘る複数の部品を兼用化する可能性もあり、その場合は非常に効果的である。
【０１１３】
また、棚板８０は、上述のように、奥行きの大小を構成する左ドアポケット９０および右ドアポケット９１の形状に応じて、大棚板部９３と通常棚板部９４とを有している。つまり、大棚板部９３に従来にないような大きな収納可能な領域を有している。
【０１１４】
大棚板部９３は、奥行きが長いことが特徴であり、取っ手つきの鍋等が載置できると共に、前方棚板８０ｂを取り外すことで一升瓶などの比較的長い収納物を、他の収納物等の出し入れを邪魔することなく安定的に置くことができる。
【０１１５】
このような効果は、単に左ドアポケット９０および右ドアポケット９１の奥行き寸法ＣおよびＤを小さくし、棚板８０の奥行き寸法ＥおよびＦを大きくすれば得ることは可能である。
【０１１６】
しかし、この場合、使用者にとって非常に利便性の高いドアポケットの収納量を減少させてしまうため、逆に貯蔵室の収納性が悪くなって使い難いものになってしまうことから現実的ではない。
【０１１７】
このことは、使用者からすると、多量の物を区分けして冷蔵庫５１に収納する上で、また、多量の収納物の中から所望の収納物を取り出す上で便利である。
【０１１８】
また、棚板８０は比較的薄い平板状にすることで、複数段に亘る貯蔵品の収納空間を極力大きくとれ、収納スペースを増加することができる。また、最も視覚的に気になる棚板８０の前端辺に圧迫感を持つことがない。
【０１１９】
さらに棚板８０を透明性の材質で作製することにより、貯蔵室全体の圧迫感をなくし広々感を損なうことがない。特に、棚板８０の材質をガラスとした場合、透明性が高く意匠性に優れると共に、剛性が高いため、比較的左右方向の広い冷蔵室５３であったとしても、収納物の載置による撓みなどを防止することが可能となる。
【０１２０】
また、棚板８０の段差部９２は角張った段ではなく、滑らかなウェーブ状に形成すること、例えばＲ形状としたり、Ｃ面とり形状とする。
【０１２１】
このことは、棚板８０において応力集中の発生や歪みを防止するための補強構造としての効果もある。そのため、収納物を載置したときでも、たわみや割れを防止できるとともに、見た目にもキレイでデザイン的にも優れたものになることからも非常に有効な手段である。
【０１２２】
ここで、収納物を出し入れする間口を形成する棚板８０の前端辺はどこにも支持されないのが一般的である。そこで、本実施の形態においては、図７に示すように、棚板８０の補強材としてステンレスなどで成形した縁材としての金属板９５を棚板８０の前端面の全幅に取り付けてもよい。
【０１２３】
図７は、実施の形態１における棚板８０の斜視図である。
図７に示すように、棚板８０の前端面に金属板９５を取り付けることで、さらに強度を増すことができるとともに、化粧板として使うことができるという利点を有する。
【０１２４】
また、棚板８０に金属板９５を取り付けることにより、棚板８０上に置かれたものが前端部から落下し難くすることもできる。
【０１２５】
なお、上述のように、透明性を有した材質で棚板８０を構成することで、貯蔵室内に広々感と清潔感とを持たせることができる。
【０１２６】
また、上記の棚板８０は、ちょうど前記段差部９２付近で分割された２部品構成であっても、大棚板部９３を構成する棚、通常棚板部９４を構成する棚、その間に段差部９２が形成され、無効スペースをある程度小さくする上では同様の効果が得られるものである。
【０１２７】
ここで、透明性があり、前端辺がウェーブ状の段差部９２を有する棚板８０の前端辺に化粧としての金属板９５を取り付けた場合を想定する。
【０１２８】
この場合、この棚板８０および金属板９５に貯蔵室の前方から照明装置８７により光が当てられる、つまり、使用者の目線の方向とほぼ同じ方向から光が照射されると、貯蔵室内の収納物が非常に見やすくなるとともに、ウェーブ状の棚板８０はさらにそのデザイン性を向上させることができる。
【０１２９】
また、棚板８０の材質をガラスにすると、光の透過性が増し、クリーンでかつ強度にも優れたものにできるので一石二鳥である。
【０１３０】
また、照明装置８７にＬＥＤを利用し、内箱７０の断熱壁に埋め込むよう構成することで、従来、主に冷気ダクト８４や天井に証明装置が設けられていた場合と比べると、省スペース化することができる。
【０１３１】
また、上述のように、左ドアポケット９０は奥行長さＣが比較的短い構造になっている。そのため、図８に示すように、仮に左扉６０ａが９０度しか開かない使用環境であっても、間口寸法Ｇは、収納物を取り出せることができる程度の長さを有している。
【０１３２】
つまり、本実施の形態の冷蔵庫５１では、前方に突出した大棚板部９３によって収納物をより手前に位置させることが可能なことも合わせ、左扉６０ａが十分に開かないような使用環境においても、棚板８０に置かれている収納物を出し入れし易いという利点を有している。
【０１３３】
また、本実施の形態の冷蔵室５３は、冷蔵庫５１において最上部に配置されている。従って、冷蔵庫５１を、近年主流となっている内容積が４００Ｌ超タイプである本体高さ１８００ｍｍ程度の冷蔵庫とした場合、使用者のちょうど目線と同じラインに冷蔵室５３の収納物が位置することとなる。
【０１３４】
これにより、使用者は収納物の出し入れが簡単にできる。さらに、観音開き式の左扉６０ａに設けた左ドアポケット９０、右扉６０ｂに設けた右ドアポケット９１、および棚板８０の形状に上述したような工夫が凝らされていることで、飛躍的に貯蔵室内の収納スペースが増加し、収納物の大きさ、形状にあわせた効率の良い収納を実現できる。
【０１３５】
例えば、使用者は、調味量やドレッシングなどの比較的小さいビン類は左ドアポケット９０に収納し、ペットボトルや牛乳パックなどの比較的大きいものは右ドアポケット９１に収納するといった区分収納が可能である。
【０１３６】
さらに、棚板８０についても奥行が深く幅が狭い大棚板部９３を頻繁に出し入れしない食材を収納するストックゾーンとして使用し、奥行きが比較的短く横幅が大棚板部９３より広い大棚板部９３を頻繁に出し入れする食材を収納するフローゾーンとして使用するといった区分収納も可能である。
【０１３７】
つまり、使用者は冷蔵室５３内を大きく４つのゾーンに区分し、目的に応じて各区分を使用することが可能となる。
【０１３８】
また、冷蔵室５３の前面開口を最も大きいものとし、その下方に引出し扉を備えた製氷室５４、切換室５５、野菜室５６などを配置することで、非常に使い勝手のよい貯蔵室配置を実現できる。
【０１３９】
以上説明した実施の形態は、本発明の一つの実施の形態にすぎず、種々の変更、応用が可能である。
【０１４０】
例えば、左扉６０ａは右扉６０ｂよりも左右の長さ、つまり横幅が短いという形態で説明したが、両扉を分割する比率がどのような割合であってもよい。
【０１４１】
つまり、奥行き寸法の大きいドアポケット側に相対する位置に棚板８０の通常棚板部９４を形成し、奥行き寸法の小さいドアポケット側に相対する位置に棚板８０の大棚板部９３を形成することで、収納スペースの増加量に若干の差はあるものの、ほぼ同様の効果が得られる。
【０１４２】
また、左ドアポケット９０の奥行き寸法を小さいものとしたが、比較的右利きの使用者が多い中で、使い勝手面において配慮したものであり、仮に左右ドアポケットの構成が逆であったとしても同様の効果が得られることは言うまでもない。
【０１４３】
また、左扉６０ａおよび右扉６０ｂの左右方向の長さ、つまり左扉６０ａの横幅と右扉６０ｂの横幅とを同一にしてもよい。
【０１４４】
ここで、図３に示すように、左扉６０ａの横幅が右扉６０ｂの横幅よりも短い場合、おおよそではあるが、大棚板部９３の横幅と通常棚板部９４の横幅とが同一となる。
【０１４５】
そこで、図９に示すように、左扉６０ａの横幅と右扉６０ｂの横幅とを同一にする。これにより大棚板部９３の横幅が長くなる。そのため、大棚板部９３上により多くの食品等を置くことが可能となる。
【０１４６】
また、本実施の形態において、棚板８０の前端面に金属板９５を取り付けることで、棚板８０の強度およびデザイン性等を向上させるとした。
【０１４７】
しかしながら、棚板８０の全周に金属板等の縁材を取り付けてもよい。例えば、棚板８０を樹脂で作製する場合、棚板８０を内箱７０に設置するための突起等を一体成型により設けることができる。つまり容易に棚板８０に突起を設けることができる。
【０１４８】
しかし、棚板８０をガラスで作製した場合、例えば突起を棚板８０に設けるためには、ガラス製の棚板８０に接着剤等で突起を取り付ける必要がある。
【０１４９】
そこで、例えば、樹脂等でガラス製の棚板８０の全周を覆う縁材を作製し、その作製時に突起を一体成型により設けることが考えられる。
【０１５０】
この場合、当該縁材をガラス製の棚板８０に取り付けることで、棚板８０を内箱７０に設置するための突起も棚板８０に設けられることとなる。
【０１５１】
図１０は、ガラス製の棚板８０にその全周を覆う縁材を取り付けた状態を示す図である。
【０１５２】
図１０に示す縁材９６は、例えば樹脂製であり、棚板８０の両端に当たる部分に係止部９６ａが一体成型により設けられている。
【０１５３】
ここで、ガラス製の棚板８０と、図１０に示す縁材９６とを別々に作製し、それぞれの完成後に組み合わせてもよく、インサート成型により、棚板８０と縁材９６とを一体成型してもよい。
【０１５４】
インサート成型の場合、縁材９６および係止部９６ａを含む棚板８０をより迅速に作製することができる。また、棚板８０と縁材９６との固着力を向上させることができる。
【０１５５】
なお、棚板８０をガラスで作製した場合、強度を高める目的では縁材を取り付ける必要がないことも考えられる。
【０１５６】
しかし、ガラス製の棚板に取り付けられた縁材は、棚板８０の周縁分の保護、棚板８０上に置かれた物の落下防止、およびデザイン性の向上等の役割を果たすことができる。
【０１５７】
また、金属板９５および縁材９６等の縁材は、図７および図１０に示すように、棚板８０の上面より上に、および下面より下にはみ出した形状をしている。つまり、棚板８０が周縁にフランジを有する形状になっている。
【０１５８】
しかし、縁材は、棚板８０の上面および下面からはみ出す形状でなくてもよい。例えば、樹脂製の棚板８０の前端部または全周に、棚板８０の厚みよりも短辺方向の幅の狭い金属板を埋め込むようにして取り付ける。
【０１５９】
このような場合であっても、例えば棚板８０の強度を向上させることができる。
【０１６０】
（実施の形態２）
本発明の実施の形態２の冷蔵庫について図１１を用いて説明する。
【０１６１】
図１１は、実施の形態２の冷蔵庫１１８の冷蔵室部分の横断面図である。なお、実施の形態１と同じ構成部に関しては同一符号にて示し説明を省略する。
【０１６２】
また、実施の形態２の冷蔵庫１１８は、左右のドアポケットおよび棚板の形状が実施の形態１の冷蔵庫５１とは異なっているが、その他の構成部および機能等は実施の形態１の冷蔵庫５１と同じである。そのため、実施の形態２の冷蔵庫１１８の特徴的な構成を中心に説明する。
【０１６３】
図１１に示すように、実施の形態２の冷蔵庫１１８は、左扉６０ａ、右扉６０ｂ、左ドアポケット１００、右ドアポケット１０１、および棚板１０２を備えている。
【０１６４】
また、左ドアポケット１００は左扉６０ａに支持固定されおり、左扉６０ａの上下に亘って複数配置されている。右ドアポケット１０１も同様に右扉６０ｂに支持固定されており、右扉６０ｂの上下に亘って複数配置されている。
【０１６５】
棚板１０２は、これらドアポケットと干渉しない位置および形状でこれらドアポケットと冷気ダクト８４との間の空間に上下に亘って複数配置されている。これら複数の棚板８０により複数段に亘る貯蔵品の収納空間が形成されている。
【０１６６】
左ドアポケット１００は、右扉６０ｂと干渉しないように図中の左扉６０ａの回転軌跡内に収まる大きさであり、ほぼ四角の底面形状になるような形状にしている。
【０１６７】
右ドアポケット１０１は、左ドアポケット１００よりも奥行き寸法を長くしている。また、左扉６０ａと干渉しないよう図中の右扉６０ｂの回転軌跡内に収めるため、右ドアポケット１０１の左端の奥行きを短く形成している。
【０１６８】
棚板１０２は、左ドアポケット１００および右ドアポケット１０１と冷気ダクト８４との間の貯蔵室空間内に左ドアポケット１００および右ドアポケット１０１と干渉しないようにある程度の隙間が空くよう配置されている。
【０１６９】
具体的には、棚板１０２は、内箱７０に一体成形された突起などに載置される形態で内箱７０に保持及び支持固定され、上下方向でほぼ水平になるよう配置されている。
【０１７０】
従って、図１１に示すように、棚板１０２はその左端辺は右端辺より奥行きが長い形状である。
【０１７１】
具体的には、図１１に示すように、左端辺の長さをＨとし、右端辺の長さをＪとすると、Ｈ＞Ｊという関係にある。
【０１７２】
また、左ドアポケット１００と右ドアポケット１０１との間、ちょうど仕切体８６の後方空間に境界部１０６を設け、その境界部１０６から右側は奥行きが徐々に短くなる形状である。
【０１７３】
なお、境界部１０６とは、実施の形態１における棚板８０における段差部９２と同じく、棚板の奥行き寸法が変わるおおよその境界となる部分である。
【０１７４】
つまり、棚板１０２の境界部１０６から左側が、実施の形態１における大棚板部９３に相当し、境界部１０６から右側が、実施の形態１における通常棚板部９４に相当する。
【０１７５】
以下に、本実施の形態における棚板１０２並びに左ドアポケット１００および右ドアポケット１０１がもたらす効果について説明する。
【０１７６】
左ドアポケット１００は、上述のように、その底形状が略四角の形状になるよう、幅及び奥行き寸法を比較的小さくすることで、仕切体８６の後方の無効スペースを極力小さくすることができる。
【０１７７】
また、棚板１０２の左側を左ドアポケット１００の近傍まで突出させる形状にすることで、棚板１０２のおおよそ左側部分の奥行きを深くすることができる。
【０１７８】
また、右ドアポケット１０１は、左ドアポケット１００の小ささを補うように、左ドアポケット１００よりも大きくしている。
【０１７９】
これにより使用者にとって非常に利便性の高いドアポケットの収納スペースを減少させずに貯蔵室内の収納スペースを飛躍的に増加させることが可能となる。
【０１８０】
特に、棚板１０２の前端辺の境界部１０６を左ドアポケット１００と右ドアポケット１０１との間の仕切体８６の後方空間に位置させ、かつ棚板１０２の前端辺に沿うように右ドアポケット１０１の形状を構成することで、従来から常であった観音開き式に特有の仕切体８６の後方空間に存在する無効スペースを最も小さくすることができる。
【０１８１】
つまり、本実施の形態の冷蔵庫１１８は、棚板１０２、左ドアポケット１００、および右ドアポケット１０１の形状を図１１に示すような形状にすることで、実施の形態１の冷蔵庫５１と同様に、貯蔵室内の収納可能な棚底面積を拡大し、収納スペースを効率良く増加させることができる。
【０１８２】
また、棚板１０２の前端面には一つの境界部１０６が存在し、棚板１０２を上下方向から見た場合、前端辺はおおよそ２つの直線で構成された比較的シンプルな形状である。この場合、前端面に取り付ける化粧を兼ねた金属板（図示せず）の形状もシンプルにできることからも、安価なコストで棚板１０２および金属板を作製することが可能となる。
【０１８３】
なお、棚板１０２は、図１１に示すように、上下方向から見た場合に前端辺がおおよそ２つの直線で構成された形状でなくてもよい。つまり、棚板１０２の前端面が境界部１０６で屈曲するような形状でなくてもよい。
【０１８４】
例えば、前端面が境界部１０６で緩やかにカーブする形状でもよい。また、左扉６０ａおよび右扉６０ｂの回転軌跡内、および、仕切体８６の回動に必要な領域に入らない範囲で、境界部１０６が仕切体８６側に膨らんでいてもよい。
【０１８５】
このような場合であっても、度合いの多少の違いはあるものの収納スペースを増加させるといった効果は得られる。
【０１８６】
（実施の形態３）
本発明の実施の形態３の冷蔵庫について図１２および図１３を用いて説明する。
【０１８７】
図１２は、実施の形態３の冷蔵庫１１９の冷蔵室部分の横断面図である。図１３は、実施の形態３の冷蔵庫１１９の左扉１１０ａをあけた時の横断面図である。なお、実施の形態１と同じ構成部に関しては同一符号にて示し説明を省略する。
【０１８８】
また、実施の形態３の冷蔵庫１１９は、左右のドアポケットおよび棚板の形状が実施の形態１の冷蔵庫５１とは異なっているが、その他の構成部および機能等は実施の形態１の冷蔵庫５１と同じである。そのため、実施の形態３の冷蔵庫１１９の特徴的な構成を中心に説明する。
【０１８９】
図１２に示すように、実施の形態３の冷蔵庫１１９は、左扉１１０ａと右扉１１０ｂと右ドアポケット１１１を備えている。しかし、実施の形態３の冷蔵庫１１９は、実施の形態１および２の各冷蔵庫とは異なり、左ドアポケットは備えていない。
【０１９０】
また、実施の形態３の冷蔵庫１１９はさらに、棚板１１２を備えており、右ドアポケット１１１は右扉１１０ｂに支持固定されている。また右ドアポケット１１１は、右扉１１０ｂの上下に亘って複数存在している。
【０１９１】
棚板１１２は、これら右ドアポケット１１１と干渉しない位置および形状でこれら右ドアポケット１１１と冷気ダクト８４との間の空間に上下に亘って複数配置されている。これら複数の棚板１１２により複数段に亘る貯蔵品の収納空間が形成されている。
【０１９２】
ここで、棚板１１２は、右ドアポケット１１１と冷気ダクト８４との間の貯蔵室空間内に右ドアポケット１１１と干渉しないようにある程度の隙間が空くよう配置されている。
【０１９３】
具体的には、棚板１１２は、内箱７０に一体成形された突起などに載置される形態で内箱７０に保持及び支持固定され、上下方向でほぼ水平になるよう配置されている。
【０１９４】
従って、図１２に示すように、棚板１１２は、左扉１１０ａの奥行き方向のほぼ全域を覆う形状であり、右扉１１０ｂの後方側は右ドアポケット１１１と前後方向で干渉しない形状になっている。
【０１９５】
つまり、実施の形態３における棚板１１２は、実施の形態１における棚板８０と同様に前端面に段差のある形状である。
【０１９６】
具体的には、棚板１１２は、段差部１１４の左側の奥行き寸法をＫとし、段差部１１４の右側の奥行き寸法をＬとするとＫ＞Ｌとなる関係にある。
【０１９７】
なお、棚板１１２のおおよそ段差部１１４の左右方向の中心点から奥行き方向に延伸した直線の左側を、大棚板部１１３とし、当該直線の右側を通常棚板部１１５とする。
【０１９８】
以下に、本実施の形態における棚板１１２および右ドアポケット１１１がもたらす効果について説明する。
【０１９９】
冷蔵庫１１９において、その冷蔵室内は図１２に示すように右ドアポケット１１１と棚板１１２により配分される。
【０２００】
また右扉１１０ｂと一体となって回転する右ドアポケット１１１の形状は図中の右扉１１０ｂの回転軌跡内に収められている。
【０２０１】
さらに、棚板１１２には、右ドアポケット１１１と干渉しないよう奥行き寸法が決定された通常棚板部１１５が存在し、大棚板部１１３は左扉１１０ａ付近まで突出した形状である。
【０２０２】
これにより、従来、観音開き式の扉に特有であったドアポケットと棚板と間の空間、すなわち仕切体８６の後方に存在した無効スペースを、仕切体８６の回動のための必要最低限の空間を除いてほぼ皆無にすることができる。
【０２０３】
つまり、棚板１１２および右ドアポケット１１１が図１２に示すような形状であることは、収納スペースを増加させるには非常に効果的であることが分かる。
【０２０４】
また、左扉１１０ａに収納スペースとしてのドアポケットを設けず断熱壁のみで構成している。これにより、棚板１１２を左扉１１０ａ近傍にまで突出させることができ、棚板１１２の奥行き寸法を、左扉１１０ａの貯蔵室側の面から貯蔵室の奥面までの長さと同程度にすることができる。
【０２０５】
この場合、収納物を使用者の目線の正面に、かつ取り出しやすい手前に位置させることができるので、物の出し入れがし易く便利である。さらに長物の収納にも便利である。
【０２０６】
また、図１２に示すように、棚板１１２の上面を略Ｌ字形状にできる。そのため、右扉１１０ｂを開けた際に通常棚板部１１５の前側の領域に対する物の出し入れはもちろんのこと、左扉１１０ａの庫内方向に存在する段差部１１４付近の領域に対する物の出し入れも容易となる。
【０２０７】
これは、右扉１１０ｂを開けると、段差部１１４付近の領域に対する物の出し入れ方向の空間が開放された空間になるためである。つまり、右扉１１０ｂを開け、横方向から当該領域に対する物の出し入れができる空間の幅が広いからである。
【０２０８】
また、右ドアポケット１１１と棚板１１２との貯蔵室内での収納スペース配分に依存するものの、棚板１１２の左右の奥行き寸法を同程度にする、すなわち左右の奥行き寸法を均一に近い状態にすることも可能である。この場合、収納物が使用者により近い位置に存在することになり、収納物を目視で確認することが非常に容易になるという利点も有する。
【０２０９】
また、図１３に示すように、仮に左扉が９０度程度しか開かない使用環境であっても、左扉１１０ａを開けたときの間口寸法Ｍが大きくとれることになる。つまり、従来の左ドアポケットを有するものと比べて、物の出し入れのし易さが格段に向上することになる。
【０２１０】
さらに棚板１１２の大棚板部１１３に、幅方向の寸法がＭ以下の、図２に示すような小物ケース８３を置いた場合を想定する。
【０２１１】
この場合、使用者は、左扉１１０ａに邪魔されることなく小物ケース８３を手前まで引き出すことができる。さらに、時には小物ケース８３を貯蔵室外に取り出して使用することも簡単にできると。
【０２１２】
このように、本実施の形態の冷蔵庫１１９は、実施の形態１および２の各冷蔵庫と同様に、効率よく収納スペースを増加させることができる。さらに、冷蔵庫１１９において、左扉１１０ａ側の貯蔵室空間に様々な引出し機構を設けることで、物の出し入れ性を向上させることも可能である。
【０２１３】
（実施の形態４）
上述のように、実施の形態１〜３の各冷蔵庫は冷蔵室の開口部に２枚の扉を備える観音開き式の冷蔵庫である。また、棚板の奥行き寸法が、ドアポケットまたは扉の庫内側の形状に応じて変化している。
【０２１４】
具体的には、棚板が貯蔵室内の無効スペースを埋めるような形状になっている。これにより、貯蔵室内の収納スペースを増加させている。また、使用頻度や大きさに応じて収納物の収納位置を変える区分け収納が可能となる等の効果もある。
【０２１５】
ここで、棚板が上述のような形状をとることによりもたらされるこれら効果は、観音開き式の冷蔵庫だけでなく、冷蔵室の扉が１枚のみのいわゆる片開き式の冷蔵庫であっても有効である。
【０２１６】
そこで、本発明の実施の形態４として片開き式の冷蔵庫に本発明を適用した場合について説明する。
【０２１７】
図１４は、実施の形態４の冷蔵庫の正面図である。
図１４に示すように、実施の形態４の冷蔵庫１２０は、実施の形態１の冷蔵庫５１と同じく、冷蔵室５３、製氷室５４、切換室５５、野菜室５６、および冷凍室５７を備えている。
【０２１８】
また、冷蔵室５３には１枚の扉６５が設置されている。使用者は、扉６５を開くことにより、冷蔵室５３に対する物の出し入れを行うことができる。
【０２１９】
図１５は、実施の形態４の冷蔵庫１２０の横断面図（図１４に示すＢ−Ｂ断面図）である。なお、実施の形態１と同じ構成部に関しては同一符号にて示し説明を省略する。
【０２２０】
図１５に示すように、実施の形態４の冷蔵庫１２０は、ドアポケット９７を備えている。ドアポケット９７は、扉６５に支持固定されており、扉６５の上下に亘って複数配置されている。
【０２２１】
また、ドアポケット９７は、回動軸８８側の奥行き寸法Ｒが、反対側の奥行き寸法Ｑよりも長い形状をしている。つまり、Ｒ＞Ｑの関係にある。
【０２２２】
また、冷蔵庫１２０が備える棚板１２１は、ドアポケット９７と干渉しない位置および形状でドアポケット９７と冷気ダクト８４との間の空間に上下に亘って複数配置されている。これら複数の棚板１２１により複数段に亘る貯蔵品の収納空間が形成されている。
【０２２３】
この棚板１２１は、実施の形態１の棚板８０と同様に、段差部１２４を有しており、奥行き寸法の長い大棚板部１２２と、奥行き寸法の短い通常棚板部１２３とを有している。
【０２２４】
具体的には、大棚板部１２２の奥行き寸法をＮ、通常棚板部１２３の奥行き寸法をＰとすると、Ｎ＞Ｐであり、かつ、ＮとＱとの和はＰとＲとの和とおおよそ等しい関係にある。
【０２２５】
つまり、棚板１２１は、実施の形態１の棚板８０と同様に、貯蔵室内の無効スペースを埋めるよう形作られている。
【０２２６】
以下に、本実施の形態における棚板１２１およびドアポケット９７がもたらす効果について説明する。
【０２２７】
上述のように、ドアポケットは使用者からのニーズもあり、ある程度大型化する必要がある。そこで、ドアポケットを大型化する場合、横幅は貯蔵室の横幅までに制限されるため、奥行き寸法を長くすることとなる。
【０２２８】
しかし、ドアポケットの奥行き寸法は、扉の開閉を考慮するとある程度までしか長くすることができない。
【０２２９】
具体的には、片開き式の冷蔵庫である冷蔵庫１２０の場合、扉６５の回動中心である回動軸８８を中心とし、回動軸８８とは反対側の内箱７０の端部を通る円（一点鎖線）内に、ドアポケット９７を収める必要がある。
【０２３０】
そこで、当該円に干渉しないように、ドアポケット９７の回動軸８８とは反対側、つまり、ドアポケット９７の左側に傾斜部分を設けつつ奥行き寸法を長くすることも考えられる。しかし。この場合、上述のように、その奥行き寸法が長くなればなるほどその傾斜部分は急になり、無効スペースが増加することとなる。
【０２３１】
そのため、本実施の形態の冷蔵庫１２０では、ドアポケット９７の左側の奥行き寸法を比較的短くすることで、傾斜部部分を設けることなく、扉６５の開閉を可能とする。
【０２３２】
また、ドアポケット９７の右側の奥行き寸法を長くすることで、左側の奥行き寸法を短くしたことによる収容量の減少を補っている。
【０２３３】
つまり、ドアポケット９７は、全体としてみると、右側が貯蔵室内に張り出した形状になっている。
【０２３４】
そのため、ドアポケット９７の左側の貯蔵室方向に無効スペースが生じることが考えられる。そこで、ドアポケット９７に相対する棚板１２１は、その無効スペースを埋めるように、左側をドアポケット９７に干渉しない範囲で奥行き方向に長くする。
【０２３５】
これにより、無効スペースの発生を抑制しつつ、ドアポケット９７および棚板１２１を合わせた貯蔵室全体の収納可能な棚底面積を拡大することができる。
【０２３６】
また、実施の形態１の冷蔵庫５１と同様に、区分収納が可能であり、使用者にとって使い勝手のよい冷蔵庫である。
【０２３７】
このように、本実施の形態の冷蔵庫１２０は、実施の形態１〜３の各冷蔵庫と同様に、収納効率および利便性の高い冷蔵庫である。
【０２３８】
なお、上述の各実施の形態において、ドアポケットの突出した部分の下方の冷蔵室の底面には比較的大きくフラットなスペースが存在することになる。
【０２３９】
具体的には、冷蔵室の底面の、ドアポケットの下方、かつ棚板の段差部より棚板の奥行き寸法の短い側の空間の下方となる位置に当該スペースが存在する。
【０２４０】
このスペースは、扉を閉めると直上にドアポケットが位置することになるため、食品等の載置領域としては使用できない。
【０２４１】
しかし、このスペースに凹陥部を設け収納容器をこの凹陥部に埋め込むことで、収納容器に食品等を収めることができる。
【０２４２】
図１６は、実施の形態４の冷蔵庫１２０における、収納容器の配置領域を示す図である。
【０２４３】
図１６に示すように、ドアポケット９７の下方かつ棚板１２１の段差部１２４の右側空間の下方に、収納容器９８を配置する。
【０２４４】
これにより、例えば、使用者は、棚板１２１やドアポケット９７への収納には向かない小さなしょうゆ瓶等を収納容器９８に収納することができ、利便性が向上する。また、冷蔵庫１２０の収納効率を向上させることができる。
【０２４５】
このような収納容器９８は、実施の形態４の冷蔵庫１２０のみならず、他の実施の形態の冷蔵庫にも同様に設置でき、同様の効果をもたらす。
【０２４６】
また、例えば、氷を生成する自動製氷装置を有する冷蔵庫であれば、自動製氷装置に水を供給する給水容器として、この収納容器９８を使用することもできる。
【０２４７】
以上、各実施の形態の冷蔵庫について説明したが、本発明は、これらの記載内容のみに限定されることはない。また、互いに異なる実施の形態における構成部を組み合わせてもよい。例えば、実施の形態４で説明した片開き式の冷蔵庫１２０が、ドアポケット９７に換えて実施の形態３における右ドアポケット１１１を備えてもよい。
【産業上の利用可能性】
【０２４８】
本発明は貯蔵室内の無効スペースを小さくし、ドアポケットおよび棚板の収納スペースを増加させることはもちろんのこと、収納物の形状に見合った収納空間を構成することによる効率の良い区分収納ができ、棚およひ収納ポケット等を備える貯蔵空間を有する種々の冷蔵庫等に適用が可能である。
【図面の簡単な説明】
【０２４９】
【図１】本発明の実施の形態１の冷蔵庫の正面図である。
【図２】実施の形態１の冷蔵庫の扉を開けた状態の斜視図である。
【図３】実施の形態１の冷蔵庫の縦断面図である。
【図４】実施の形態１の冷蔵庫の横断面図である。
【図５】棚板を取り付けた冷蔵室内部を示す斜視図である。
【図６】前方棚板を後方棚板の下方に移動させた冷蔵室内部を示す斜視図である。
【図７】実施の形態１の棚板の斜視図である。
【図８】実施の形態１の冷蔵庫の左扉を開けた状態の横断面図である。
【図９】実施の形態１の冷蔵庫の左扉と右扉の横幅を同一にした場合の横断面図である。
【図１０】ガラス製の棚板にその全周を覆う縁材を取り付けた状態を示す図である。
【図１１】実施の形態２の冷蔵庫の横断面図である。
【図１２】実施の形態３の冷蔵庫の横断面図である。
【図１３】実施の形態３の冷蔵庫の左扉を開けた状態の横断面図である。
【図１４】実施の形態４の冷蔵庫の正面図である。
【図１５】実施の形態４の冷蔵庫の横断面図である。
【図１６】実施の形態４の冷蔵庫における、収納容器の配置領域を示す図である。
【図１７】従来の冷蔵庫の冷蔵室扉を開けたときの斜視図である。
【図１８】従来の冷蔵庫の冷蔵室の横断面図である。
【符号の説明】
【０２５０】
５１    冷蔵庫
５２    断熱箱体
５３    冷蔵室（貯蔵室）
５４    製氷室
５５    切換室
５６    野菜室
５７    冷凍室
６０ａ  左扉
６０ｂ  右扉
６１    扉
６２    扉
６３    扉
６４    扉
６５    扉
７０    内箱
７１    外箱
７２    発泡断熱材
８０    棚板
８０ａ  後方棚板
８０ｂ  前方棚板
８１    ヒンジ
８２    チルドケース
８３    小物ケース
８４    冷気ダクト
８５    ガスケット
８６    仕切体
８７    照明装置
８８    回動軸
８９    扉内板
９０    左ドアポケット
９１    右ドアポケット
９２    段差部
９３    大棚板部
９４    通常棚板部
９５    金属板
９６    縁材
９６ａ  係止部
９７    ドアポケット
９８    収納容器
１００    左ドアポケット
１０１    右ドアポケット
１０２    棚板
１０６    境界部
１１０ａ  左扉
１１０ｂ  右扉
１１１    右ドアポケット
１１２    棚板
１１３    大棚板部
１１４    段差部
１１５    通常棚板部
１１８    冷蔵庫
１１９    冷蔵庫
１２０    冷蔵庫
１２１    棚板
１２２    大棚板部
１２３    通常棚板部
１２４    段差部
１８３    載置棚板
【図１】
2008051487.tif 000003
【図２】
2008051487.tif 000004
【図３】
2008051487.tif 000005
【図４】
2008051487.tif 000006
【図５】
2008051487.tif 000007
【図６】
2008051487.tif 000008
【図７】
2008051487.tif 000009
【図８】
2008051487.tif 000010
【図９】
2008051487.tif 000011
【図１０】
2008051487.tif 000012
【図１１】
2008051487.tif 000013
【図１２】
2008051487.tif 000014
【図１３】
2008051487.tif 000015
【図１４】
2008051487.tif 000016
【図１５】
2008051487.tif 000017
【図１６】
2008051487.tif 000018
【図１７】
2008051487.tif 000019
【図１８】
2008051487.tif 000020